【手続補正書】
【提出日】平成16年1月23日(2004.1.23)
【手続補正１】
【補正対象書類名】明細書
【補正対象項目名】全文
【補正方法】変更
【補正の内容】
【発明の名称】透孔縁部補強具及び該補強具を使用したコンクリート体の透孔縁部補強方法。
【特許請求の範囲】
【請求項１】コンクリート体に形成された透水孔等の透孔に嵌合される内面補強部と、該内面補強部の上側開口外周縁部にフランジ状に形成されたフランジ部と、前記内面補強部の下側開口周縁部に突設された係止部とを備え、該係止部は、弾性を有する板状材により構成された少なくとも一対の係止部材を備えたことを特徴としてなる透孔縁部補強具。
【請求項２】係止部材の下縁に、透孔の裏面側開口より突出し、該裏面側開口縁部に係止される抜け止め爪が突設された請求項１に記載の透孔縁部補強具。
【請求項３】フランジ部を構成するフランジ片が上縁に外向きに突設された弾性材からなる一対の係止部材を備え、該係止部材及び両係止部材の長手方向端部間を接続する断面コ字状の接続部材により内面補強部を形成した請求項１又は２に記載の透孔縁部補強具。
【請求項４】フランジ部は内面補強部の上縁外周より斜め下方に突設させ、挿抜方向のバネ性を持たせた請求項１、２又は３に記載の透孔縁部補強具。
【請求項５】コンクリート体に透水孔等の透孔を形成しておき、該透孔に嵌合される内面補強部と、該内面補強部の上端外周縁部にフランジ状に形成されたフランジ部と、前記内面補強部の下端に突設され、弾性を有する板状材により構成された少なくとも一対の係止部材を有する係止部とを備えた透孔縁部補強具を該透孔に挿入し、前記フランジ部を前記孔の表面側開口の周縁に係止させるとともに、前記内面補強部を前記透孔内に嵌め込み、前記透孔に対し前記補強部材を嵌合させ、前記透孔縁部補強具により前記透孔の開口縁部分を覆うことを特徴としてなるコンクリート体の透孔縁部補強方法。
【請求項６】係止部は、下端部に透孔の裏面側開口縁部に係止される抜け止め爪が突設され、該抜け止め爪を前記透孔の裏面側開口より突出させて該裏面側開口の周縁に係合させる請求項５に記載のコンクリート体の透孔縁部補強方法。
【請求項７】透孔の表面側開口の周縁にフランジ部逃げ用凹部を形成した請求項５又は６に記載のコンクリート体の透孔縁部補強方法。
【請求項８】透孔縁部補強具に挿入治具を嵌め込み、該挿入治具を嵌め込んだ状態で該透孔縁部補強具を透孔に挿入し、該挿入治具により係止部材を押し広げて、該抜け止め爪を前記透孔の裏面側開口の周縁に係合させ、該補強部材が前記透孔に対し嵌合された後、前記挿入治具を取り外す請求項５、６又は７に記載のコンクリート体の透孔縁部補強方法。
【発明の詳細な説明】
【０００１】
【発明の属する技術分野】
本発明は、主にコンクリート体に形成された透水孔等の透孔の縁部が欠損するのを防止するための透孔縁部補強具及び該補強具を使用したコンクリート体の透孔縁部補強方法に関する。
【０００２】
【従来の技術】
一般に、道路の側溝を構成するコンクリート版或いは中空函状のコンクリート体の上面には透水孔が穿孔され、雨天等により発生した水がこの透水孔より側溝内に流れ込み排水できるようになっている。しかし、透水孔の縁部は、コンクリートが打ちさらしの状態にあるので、開口縁部が欠損し易いという問題があり、透水孔の開口縁部が欠損することによって、透水孔の孔幅が広がり、例えば、自転車や車椅子等の車輪が該透水孔に填り込む危険性が増大するなどの問題があった。また、側溝以外に用いられるコンクリート体でも、該コンクリート体に設けた透孔の開口縁部の欠損により不都合が生じることがある。
【０００３】
そこで、図６に示すように、型枠１内に補強部材２，２により透孔の縁部が形成されるように補強部材２，２をインサートした状態でコンクリート３を打設し、補強部材２により透孔の開口縁部を覆って透孔の開口縁部を補強するものが開発されている。尚、図中、符号４は中空函状のコンクリート体を成形する際に使用する中子である。
【０００４】
【発明が解決しようとする課題】
しかし、上述のような従来の技術では、コンクリート打設時にバイブレーションをかけることにより補強部材と成型型枠との間に隙間が生じ、そこからコンクリートが流れ込む、所謂トロ漏れが発生し、該補強部材の表面周辺にコンクリートが流れた跡が現れ、美観を損ねるという問題があった。
【０００５】
本発明は、このような従来の技術の状況を鑑み、コンクリート体を美麗に形成すると共に、該透孔開口縁部の欠損を好適に防止する透孔縁部補強具及び該補強具を使用したコンクリート体の透孔縁部補強方法の提供を目的とする。
【０００６】
【課題を解決するための手段】
上述の如き従来の問題を解決し、所期の目的を達成するための本発明に係るコンクリート体の透孔縁部補強具の特徴は、コンクリート体に形成された透水孔等の透孔に嵌合される内面補強部と、該内面補強部の上側開口外周縁部にフランジ状に形成されたフランジ部と、前記内面補強部の下側開口周縁部に突設された係止部とを備え、該係止部は、弾性を有する板状材により構成された少なくとも一対の係止部材を備えたことにある。
【０００７】
尚、係止部材の下縁に透孔の裏面側開口より突出し、該裏面側開口縁部に係止される抜け止め爪が突設されたことが好ましく、フランジ部を構成するフランジ片が上縁に外向きに突設された弾性材からなる一対の係止部材を備え、該係止部材と、該係止部材の長手方向端部をそれぞれ接続する断面コ字状の接続部材により内面補強部を形成させることが好ましく、フランジ部は内面補強部の上縁外周より斜め下方に突設させ、挿抜方向のバネ性を持たせることが好ましい。
【０００８】
又、本発明に係るコンクリート体の透孔縁部補強方法は、コンクリート体に透水孔等の透孔を形成しておき、該透孔に嵌合される内面補強部と、該内面補強部の上端外周縁部にフランジ状に形成されたフランジ部と、前記内面補強部の下端に突設され、弾性を有する板状材により構成された少なくとも一対の係止部材を有する係止部とを備えた透孔縁部補強具を該透孔に挿入し、前記フランジ部を前記孔の表面側開口の周縁に係止させるとともに、前記内面補強部を前記透孔内に嵌め込み、前記透孔に対し前記補強部材を嵌合させ、前記透孔縁部補強具により前記透孔の開口縁部分を覆うことを特徴とする。
【０００９】
尚、上記透孔縁部補強方法は、係止部は、下端部に透孔の裏面側開口縁部に係止される抜け止め爪が突設され、該抜け止め爪を前記透孔の裏面側開口より突出させて該裏面側開口の周縁に係合させることが好ましく、透孔の表面側開口の周縁にフランジ部逃げ用凹部を形成することが好ましく、透孔縁部補強具に挿入治具を嵌め込み、該挿入治具を嵌め込んだ状態で該透孔縁部補強具を透孔に挿入し、該挿入治具により係止部材を押し広げて、該抜け止め爪を前記透孔の裏面側開口の周縁に係合させ、該補強部材が前記透孔に対し嵌合された後、前記挿入治具を取り外すことが好ましい。
【００１０】
【発明の実施の形態】
次に、本発明に係る透孔縁部補強具の実施の形態を図１〜図３について説明する。
【００１１】
図１は透孔縁部補強具による透孔縁部の補強状態を示し、符号１０は透水孔等の透孔１１が穿孔されたコンクリート体、符号１２は透孔縁部補強具である。
【００１２】
透孔縁部補強具１２は、ステンレス材等の弾性材からなる一対の係止部材１３，１３と、断面コ字状に形成された接続部材１４，１４とを備えて構成され、係止部材１３，１３の長手方向端部を接続部材１４により接続することにより透孔１１に嵌合される内面補強部１５が形成されるようになっている。
【００１３】
係止部材１４は、帯状の本体部１６と、本体部１６上縁に沿って外向きに突設されたフランジ片１７と、本体部１６下縁に沿って外側上方に向かって突設された抜け止め爪１８とがそれぞれ折り曲げにより形成され、該一対のフランジ片１７，１７により内面補強部１５の上縁開口外周にフランジ部１９が、係止部材下端部により内面補強部１５の下縁に係止部２０が形成されるようになっている。尚、上縁及び下縁に沿ってフランジ片１７と抜け止め爪１８とを備えたことにより、本体部１６の長手方向の剛性が増し、長手方向の保形性が保たれるようになっている。
【００１４】
フランジ片１７は、係止部材本体部１６の上縁から外側稍斜め下向きに突設され、挿抜方向にバネ性を持たせている。
【００１５】
抜け止め爪１９は、外側斜め上向きに突設され、透孔１１に挿入した際には透孔内壁により狭められ、該透孔の裏面側開口より突出すると弾性力により回復して拡開し、爪の先端部分１８ａが透孔の裏面側開口縁部に係止するようになっている。
【００１６】
接続部材１４は、側板１４ａが係止部材１３の端部にネジ止め等によって固定されるようになっている。
【００１７】
このように構成することにより、透孔１１に対し、透孔縁部補強具１２が簡単に嵌め込むことができるとともに、フランジ部１９と抜け止め爪１８，１８によりコンクリート体１０の肉厚部を弾性的に挟持するので好適に固定されるようになっている。また、接続部材１４を透孔１１の幅によって取り替えることにより様々な幅の透孔に対応させることができる。
【００１８】
また、強制的に係止部２０を（抜け止め爪１８，１８）を撓ませて狭めることにより透孔１１より取り外すことも可能である。
【００１９】
次に上述した透孔縁部補強具１２を使用したコンクリート体の透孔縁部補強方法について、側溝等に用いられる中空函状のコンクリート体を例に説明する。
【００２０】
図４はコンクリート体のコンクリート打設状態を示し、符号３０はコンクリート成形用型枠、符号３１、３２はそれぞれコンクリート体の中空部を形性するための中空部中子、該中空部に連通した透孔を成形するための透孔用中子である。
【００２１】
また、図５はコンクリート体に設けられた透孔に透孔縁部補強具を挿入する工程を示し、符号３３は透孔縁部補強具１２を挿入するための挿入治具である。挿入治具３３は、図５に示すように、フランジ部１９の上面を押圧する押圧部３４と、押圧部３４の下面に一体に突設され、内面補強部１５内に嵌合される保形部３５と、該保形部３５の下面に一体に突設され、係止部材１３と対向する面が下方先細りのテーパ状に形性され、挿入時に係止部２０を押し広げる拡開部３６とを備えて構成されている。
【００２２】
まず、図４に示すように、型枠３０と一体に逃げ用凹部成型中子３７を設け、型枠３０内に中空部用中子３１、透孔用中子３２をセットし、コンクリートを打設する。このとき、バイブレーションをかけても、コンクリート体の表面部分には、型枠３０と逃げ用凹部成型中子３７との間に隙間ができることがないので、トロ漏れが発生することがなくコンクリート体の表面が美麗に仕上がる。また、透孔１１の表面開口側縁部にはフランジ部逃げ用凹部３８が形成される。尚、図中の符号３９は中空部用中子３１と透孔用中子３２とを固定するボルトである。
【００２３】
次に、図５に示すように、挿入治具３３を透孔縁部補強具１２に嵌め込み、この挿入治具１２を嵌め込んだ状態で透孔１１に透孔縁部補強具１２を挿入し、フランジ部１９の孔側面が透孔の表面側側縁即ち逃げ用凹部３８の底面に当接するまで押し込む。
【００２４】
このとき、下端の係止部２０が透孔１１の内壁面に押され、抜け止め爪１８が弾性的に内側に撓み、一方、挿入治具３３により内側より保形される。そして、透孔１１の裏面側開口より係止部２０が突出すると、図１に示すように、抜け止め爪１８，１８が弾性力により拡開するとともに、表面側開口縁部（即ち、逃げ用凹部底部）に反力をとるフランジ部１９のバネ性により、透孔縁部補強具１２が押し戻され抜け止め爪の先端部１８ａ，１８ａが透孔１１の裏面側開口縁部に係止される。よって、フランジ部１９と抜け止め爪１８，１８により透孔周縁の肉厚部を弾性的に挟持し、透孔１１に対し固定されるようになっている。
【００２５】
尚、逃げ用凹部３８の深さは、フランジ部１９の頂部がバネ性により所謂スプリングバックしても逃げ用凹部３８の上部開口より上に突出することがなく、該フランジ部頂部が逃げ用凹部３８の開口面とほぼ同一の位置にくるような深さに形成されている。
【００２６】
よって、透孔１１の開口縁部及び内縁部は透孔縁部補強具１２により覆われ、縁部の欠損が好適に防止されるようになる。
【００２７】
尚、上述の実施例では係止部材１３をステンレス材を用いた例について説明したが、弾性を有する合成樹脂、その他の材質をもって構成するようにしてもよく、また、透孔縁部補強具全体を一体に形成するようにしてもよい。
【００２８】
本発明に係る透孔縁部補強具は、コンクリート体に設けられた透孔のみでなく、その他材質により形成されたものに形成された透孔を補強する場合にも適用することができる。
【００２９】
また、既存のコンクリート体に形成された透孔に透孔縁部補強具を嵌合させ補強するようにしてもよい。
【００３０】
【発明の効果】
上述のように、本発明に係る透孔縁部補強具は、コンクリート体に形成された透水孔等の透孔に嵌合される内面補強部と、該内面補強部の上側開口外周縁部にフランジ状に形成されたフランジ部と、前記内面補強部の下側開口周縁部に突設された係止部とを備え、該係止部は、弾性を有する板状材により構成された少なくとも一対の係止部材を備えたことにより、透孔の開口縁部を好適に覆って保護し、コンクリート等の透孔縁部の欠損を防止できるとともに、コンクリート体を打設した後、或いは既存の透孔であっても嵌合させることができる。
【００３１】
上縁に外向きに突設されたフランジ部を構成するフランジ片と、下縁に突設された抜け止め爪とが折り曲げにより形成された弾性材からなる一対の係止部材を備え、該係止部材と該係止部材の長手方向端部をそれぞれ接続する断面コ字状の接続部材により内面補強部を形成させたことにより、接続部材の幅を変更させることで様々な幅の透孔に対応させることができる。また、フランジ片と抜け止め片を上縁及び下縁に沿って折り曲げにより形成したことにより、長手方向の剛性が向上し、保形性が保たれるので、補強用のリム等が不必要となり部品点数を減り、製作コストが低減する。
【００３２】
フランジ部は内面補強部の上縁外周より斜め下方に突設させ、挿抜方向のバネ性を持たせたことにより、透孔周辺の肉部を抜け止め爪とフランジ部で弾性的に挟持することとなり、透孔に対し補強具を好適に固定することができる。
【００３３】
また、本発明に係るコンクリート体の透孔縁部補強方法は、コンクリート体に透水孔等の透孔を形成しておき、該透孔に嵌合される内面補強部と、該内面補強部の上端外周縁部にフランジ状に形成されたフランジ部と、前記内面補強部の下端に突設され、下端部に前記透孔の裏面側開口より突出し、該裏面側開口縁部に係止される抜け止め爪が突設された弾性を有する板状材により構成された少なくとも一対の係止部材とを備えた透孔縁部補強具を該透孔に挿入し、前記フランジ部を前記孔の表面側開口の周縁に係止させるとともに、前記内面補強部を前記透孔内に嵌め込み、前記抜け止め爪を前記透孔の裏面側開口より突出させて該裏面側開口の周縁に係合させることにより、前記透孔に対し前記補強部材を嵌合させ、前記透孔縁部補強具により前記透孔の開口縁部分を覆うことにより、コンクリート打設時にインサート物をおく必要が無く、所謂トロ漏れがなく、コンクリート体の表面を美麗に仕上げることができるとともに、好適に透孔開口縁部及び内縁部を補強具により覆い保護することができる。
【００３４】
透孔の表面側開口の周縁にフランジ部逃げ用凹部を形成したことにより、コンクリート体等の表面よりフランジ部の頂部が突出せず、自動車の車輪や除雪車等の作業部位と接触するようなことが無く安全である。
【００３５】
透孔縁部補強具に挿入治具を嵌め込み、該挿入治具を嵌め込んだ状態で該透孔縁部補強具を透孔に挿入し、該挿入治具により係止部材を押し広げて、該抜け止め爪を前記透孔の裏面側開口の周縁に係合させ、該透孔縁部補強具が前記透孔に対し嵌合された後、前記挿入治具を取り外すことにより、透孔縁部補強具を形状を保ちつつ好適に透孔内に挿入することができ、抜け止め爪をしっかりと透孔裏面側開口縁部に係止させることができる。
【図面の簡単な説明】
【図１】本発明に係る透孔縁部補強具の設置状態を示す断面図である。
【図２】（Ａ）は同上の透孔縁部補強具を示す平面図、（Ｂ）は同上の正面図である。
【図３】図２中のＡ−Ａ線断面図である。
【図４】コンクリート体の成型状態を示す断面図である。
【図５】透孔縁部補強具の挿入状態を示す断面図である。
【図６】従来のコンクリート体の成型状態を示す断面図である。
【符号の説明】
１０  コンクリート体
１１  透孔
１２  透孔縁部補強具
１３  係止部材
１４  接続部材
１４ａ  側板
１５  内面補強部
１６  本体部
１７  フランジ片
１８  抜け止め爪
１８ａ  先端部
１９  フランジ部
２０  係止部
２１  取付用孔
３０  コンクリート成形用型枠
３１  中空部中子
３２  透孔用中子
３３  挿入治具
３４  押圧部
３５  保形部
３６  拡開部
３７  逃げ用凹部成形中子
３８  フランジ部逃げ用凹部
３９  ボルト